(57)【要約】【課題】  交換機側で設定変更を行った際に、ＰＨＳ端末に設定が自動で反映される仕組みを提供すること。【解決手段】  ＢＳ１０３は、ＰＢＸ１０２から、通信モード変更通知を受信し（３３１２）、通信モードを“通信”から“書込み”に変更し（３３１３）、ＰＨＳ１０４に対して通信モード変更通知を送信する（３３１４）。ＰＨＳ１０４は、通信モードを“通信”から“書込み”に変更する（３３１６）。ＰＢＸ１０２は、ＰＨＳ１０４から設定情報問合せ通知を受信すると、内線番号とシステムＩＤを含む設定情報書込み通知を送信する（３３１９）。ＰＨＳ１０４は、設定情報書込み通知の内線番号とシステムＩＤに書き換え、通信モードを“書込み”から“通信”に変更する（３３２４〜３３２６）。【選択図】  図１３−２
2015100014.tif 000002
【特許請求の範囲】
【請求項１】
無線端末設定変更システムであって、
端末ＩＤと内線番号とデータ変更有無とを管理する端末情報記憶部を有し、端末情報記憶部データ変更有無と予め定められたシステムＩＤとを記憶する交換機と、
端末ＩＤと内線番号とシステムＩＤと通信モードを管理する端末データ記憶部を有する無線端末と、
基地局と
を備え、
前記無線端末は、定期的に又は予め定められたタイミングで、前記端末データ記憶部に記憶された、システムＩＤと端末ＩＤを、前記基地局を経て、前記交換機へ送信し、
前記交換機は、端末情報記憶部データ変更有無が“有”である場合、前記端末情報記憶部を検索し、受信した前記端末ＩＤに対するデータ変更有無が“有”であれば、前記基地局に対して、通信モード変更通知を送信し、
前記基地局は、通信モード変更通知を受信すると、通信モードを“通信”から“書込み”に変更し、前記無線端末に対して通信モード変更通知を送信し、
前記無線端末は、通信モード変更通知を受信すると、前記端末データ記憶部の通信モードを“通信”から“書込み”に変更し、前記基地局を経て前記交換機に対し、端末ＩＤを含む設定情報問合せ通知を送信し、
前記交換機は、前記端末情報記憶部を検索し、受信した設定情報問合せ通知に含まれる端末ＩＤに対する内線番号を抽出し、前記端末ＩＤと前記内線番号と前記システムＩＤとを含む設定情報書込み通知を、前記基地局を経て前記無線端末に対し、送信し、
前記無線端末は、前記端末データ記憶部を、受信した設定情報書込み通知に含まれる前記内線番号と前記システムＩＤにより書き換え、通信モードを“通信”に変更する
無線端末設定変更システム。
【請求項２】
請求項１に記載の無線端末設定変更システムであって、
前記基地局は、通信モードとして“通信”が予め登録されており、
前記無線端末は、前記端末データ記憶部に、システムＩＤ、端末ＩＤ、内線番号、“通信”を示す通信モードが予め登録されている
ことを特徴とする無線端末設定変更システム。
【請求項３】
請求項１に記載の無線端末設定変更システムであって、
前記交換機は、端末ＩＤ及び内線番号を含む設定データを受信すると、前記端末情報記憶部に、前記端末ＩＤ及び前記内線番号と、データ変更有無が“有”を含むレコードを記憶し、端末情報記憶部データ変更有無を“有”に設定することを特徴とする無線端末設定変更システム。
【請求項４】
請求項３に記載の無線端末設定変更システムであって、
設定用装置をさらに備え、
前記設定用装置は、前記無線端末のデータ変更が必要なタイミング又はデータ変更の要求時、又は、システム導入時、前記交換機に前記設定データを投入することを特徴とする無線端末設定変更システム。
【請求項５】
請求項１に記載の無線端末設定変更システムであって、
前記交換機が前記設定情報書込み通知を送信した後、
前記交換機は、前記端末情報記憶部の前記端末ＩＤに対するデータ変更有無を“有”から“無”に変更し、
前記基地局は、前記基地局の通信モードを“書込み”から“通信”に変更する
ことを特徴とする無線端末設定変更システム。
【請求項６】
請求項５に記載の無線端末設定変更システムであって、
さらに、前記基地局は、前記端末情報記憶部の全てのレコードのデータ変更有無が“無”となっている場合、端末情報記憶部データ変更有無を“有”から“無”に変更することを特徴とする無線端末設定変更システム。
【請求項７】
請求項１に記載の無線端末設定変更システムであって、
前記基地局は、
通信モードを管理する通信モード記憶部を
備え、
前記基地局は、前記通信モード変更通知を受信すると、前記通信モード記憶部の通信モードを“通信”から“書込み”に変更する、及び、前記設定情報書込み通知を受信すると、前記通信モード記憶部の通信モードを“通信”から“書込み”に変更することを特徴とする無線端末設定変更システム。
【請求項８】
請求項１に記載の無線端末設定変更システムであって、
前記交換機は、端末情報記憶部データ変更有無が“有”でない場合、前記無線端末から受信した前記システムＩＤが、該交換機に記憶されたシステムＩＤと一致すれば、前記端末情報記憶部を検索し、受信した前記端末ＩＤと一致したレコードが存在すれば、前記基地局を経て前記無線端末に対して、通信処理を開始させるためのＯＫ通知を送信することを特徴とする無線端末設定変更システム。
【請求項９】
請求項８に記載の無線端末設定変更システムであって、
前記交換機は、前記端末情報記憶部を検索し、受信した前記端末ＩＤと一致したレコードが存在しなければ、前記基地局を経て前記無線端末に対して、ＮＧ通知を送信することを特徴とする無線端末設定変更システム。
【請求項１０】
請求項８に記載の無線端末設定変更システムであって、
前記交換機は、受信した前記システムＩＤが、該交換機に記憶されたシステムＩＤと一致しなければ、前記基地局を経て前記無線端末に対して、ＮＧ通知を送信することを特徴とする無線端末設定変更システム。
【請求項１１】
請求項８に記載の無線端末設定変更システムであって、
前記交換機は、端末情報記憶部データ変更有無が“有”であり、前記端末情報記憶部を検索し、前記無線端末から受信した前記端末ＩＤと一致したレコードが存在しない場合、前記基地局を経て前記無線端末に対して、ＮＧ通知を送信することを特徴とする無線端末設定変更システム。
【請求項１２】
請求項８に記載の無線端末設定変更システムであって、
前記無線端末は、前記交換機から前記基地局を経て、ＯＫ通知を受信すると、通信処理を実行することを特徴とする無線端末設定変更システム。
【請求項１３】
請求項９に記載の無線端末設定変更システムであって、
前記無線端末は、前記交換機から前記基地局を経て、ＮＧ通知を受信すると画面にＮＧ通知を表示し、通信処理を開始しないことを特徴とする無線端末設定変更システム。
【請求項１４】
無線端末設定変更システムにおける無線端末設定変更方法であって、
前記無線端末設定変更は、
端末ＩＤと内線番号とデータ変更有無とを管理する端末情報記憶部を有し、端末情報記憶部データ変更有無と予め定められたシステムＩＤとを記憶する交換機と、
端末ＩＤと内線番号とシステムＩＤと通信モードを管理する端末データ記憶部を有する無線端末と、
基地局と
を備え、
前記無線端末は、定期的に又は予め定められたタイミングで、前記端末データ記憶部に記憶された、システムＩＤと端末ＩＤを、前記基地局を経て、前記交換機へ送信し、
前記交換機は、端末情報記憶部データ変更有無が“有”である場合、前記端末情報記憶部を検索し、受信した前記端末ＩＤに対するデータ変更有無が“有”であれば、前記基地局に対して、通信モード変更通知を送信し、
前記基地局は、通信モード変更通知を受信すると、通信モードを“通信”から“書込み”に変更し、前記無線端末に対して通信モード変更通知を送信し、
前記無線端末は、通信モード変更通知を受信すると、前記端末データ記憶部の通信モードを“通信”から“書込み”に変更し、前記基地局を経て前記交換機に対し、端末ＩＤを含む設定情報問合せ通知を送信し、
前記交換機は、前記端末情報記憶部を検索し、受信した設定情報問合せ通知に含まれる端末ＩＤに対する内線番号を抽出し、前記端末ＩＤと前記内線番号と前記システムＩＤとを含む設定情報書込み通知を、前記基地局を経て前記無線端末に対し、送信し、
前記無線端末は、前記端末データ記憶部を、受信した設定情報書込み通知に含まれる前記内線番号と前記システムＩＤにより書き換え、通信モードを“通信”に変更する
無線端末設定変更方法。
【請求項１５】
交換機であって、
端末ＩＤと内線番号とデータ変更有無とを管理する端末情報記憶部を有し、端末情報記憶部データ変更有無と予め定められたシステムＩＤとを記憶し、
端末ＩＤと内線番号とシステムＩＤと通信モードを管理する端末データ記憶部を有する無線端末から、定期的に又は予め定められたタイミングで、前記端末データ記憶部に記憶された、システムＩＤと端末ＩＤを、前記基地局を経て、受信すると、
端末情報記憶部データ変更有無が“有”である場合、前記端末情報記憶部を検索し、受信した前記端末ＩＤに対するデータ変更有無が“有”であれば、前記基地局に対して、通信モード変更通知を送信し、
前記基地局が、通信モード変更通知を受信すると、通信モードを“通信”から“書込み”に変更し、前記無線端末に対して通信モード変更通知を送信した際に、
前記無線端末により、通信モード変更通知を受信すると、前記端末データ記憶部の通信モードを“通信”から“書込み”に変更し、前記基地局を経て、端末ＩＤを含む設定情報問合せ通知を受信すると、
前記端末情報記憶部を検索し、受信した設定情報問合せ通知に含まれる端末ＩＤに対する内線番号を抽出し、前記端末ＩＤと前記内線番号と前記システムＩＤとを含む設定情報書込み通知を、前記基地局を経て前記無線端末に対し、送信し、
前記無線端末に、前記端末データ記憶部を、受信した設定情報書込み通知に含まれる前記内線番号と前記システムＩＤにより書き換え、通信モードを“通信”に変更させる
交換機。
【発明の詳細な説明】
【技術分野】
【０００１】
本発明は、無線端末設定変更システム及び方法、交換機に関する。
【背景技術】
【０００２】
本技術分野の背景技術として、特願平開平６−１４０９９０号公報（特許文献１）がある。この公報には、「移動による、通信可能領域外から通信可能領域内へのような状態の変化を検出して通知する移動通信端末を提供する」（要約）ことが記載されている。
【先行技術文献】
【特許文献】
【０００３】
【特許文献１】特開平６−１４０９９０号公報
【発明の概要】
【発明が解決しようとする課題】
【０００４】
従来、ＰＨＳを用いた電話システムでは、ＰＨＳの設定（内線番号、システムＩＤ...等）を変更する度に、設定変更するＰＨＳを回収し、ＰＨＳとＰＨＳ受信機の設定モードを書き込みモードに変更し、同期を行うという手間がかかるため、設定変更でＰＨＳの設定工数が多くかかっていた。また、設定変更に時間がかかるため、ＰＨＳの稼働率の低下に繋がる場合が想定された。また、大規模な設定変更に関しては一層莫大な時間と労力がかかっていた。
【０００５】
本発明は、以上の点に鑑み、交換機側で設定変更を行った際に自動でＰＨＳ端末等の無線端末に設定を反映することを目的とする。
【課題を解決するための手段】
【０００６】
本発明の第１の解決手段によると、
無線端末設定変更システムであって、
端末ＩＤと内線番号とデータ変更有無とを管理する端末情報記憶部を有し、端末情報記憶部データ変更有無と予め定められたシステムＩＤとを記憶する交換機と、
端末ＩＤと内線番号とシステムＩＤと通信モードを管理する端末データ記憶部を有する無線端末と、
基地局と
を備え、
前記無線端末は、定期的に又は予め定められたタイミングで、前記端末データ記憶部に記憶された、システムＩＤと端末ＩＤを、前記基地局を経て、前記交換機へ送信し、
前記交換機は、端末情報記憶部データ変更有無が“有”である場合、前記端末情報記憶部を検索し、受信した前記端末ＩＤに対するデータ変更有無が“有”であれば、前記基地局に対して、通信モード変更通知を送信し、
前記基地局は、通信モード変更通知を受信すると、通信モードを“通信”から“書込み”に変更し、前記無線端末に対して通信モード変更通知を送信し、
前記無線端末は、通信モード変更通知を受信すると、前記端末データ記憶部の通信モードを“通信”から“書込み”に変更し、前記基地局を経て前記交換機に対し、端末ＩＤを含む設定情報問合せ通知を送信し、
前記交換機は、前記端末情報記憶部を検索し、受信した設定情報問合せ通知に含まれる端末ＩＤに対する内線番号を抽出し、前記端末ＩＤと前記内線番号と前記システムＩＤとを含む設定情報書込み通知を、前記基地局を経て前記無線端末に対し、送信し、
前記無線端末は、前記端末データ記憶部を、受信した設定情報書込み通知に含まれる前記内線番号と前記システムＩＤにより書き換え、通信モードを“通信”に変更する
無線端末設定変更システムが提供される。
【０００７】
本発明の第２の解決手段によると、
無線端末設定変更システムにおける無線端末設定変更方法であって、
前記無線端末設定変更は、
端末ＩＤと内線番号とデータ変更有無とを管理する端末情報記憶部を有し、端末情報記憶部データ変更有無と予め定められたシステムＩＤとを記憶する交換機と、
端末ＩＤと内線番号とシステムＩＤと通信モードを管理する端末データ記憶部を有する無線端末と、
基地局と
を備え、
前記無線端末は、定期的に又は予め定められたタイミングで、前記端末データ記憶部に記憶された、システムＩＤと端末ＩＤを、前記基地局を経て、前記交換機へ送信し、
前記交換機は、端末情報記憶部データ変更有無が“有”である場合、前記端末情報記憶部を検索し、受信した前記端末ＩＤに対するデータ変更有無が“有”であれば、前記基地局に対して、通信モード変更通知を送信し、
前記基地局は、通信モード変更通知を受信すると、通信モードを“通信”から“書込み”に変更し、前記無線端末に対して通信モード変更通知を送信し、
前記無線端末は、通信モード変更通知を受信すると、前記端末データ記憶部の通信モードを“通信”から“書込み”に変更し、前記基地局を経て前記交換機に対し、端末ＩＤを含む設定情報問合せ通知を送信し、
前記交換機は、前記端末情報記憶部を検索し、受信した設定情報問合せ通知に含まれる端末ＩＤに対する内線番号を抽出し、前記端末ＩＤと前記内線番号と前記システムＩＤとを含む設定情報書込み通知を、前記基地局を経て前記無線端末に対し、送信し、
前記無線端末は、前記端末データ記憶部を、受信した設定情報書込み通知に含まれる前記内線番号と前記システムＩＤにより書き換え、通信モードを“通信”に変更する
無線端末設定変更方法が提供される。
【０００８】
本発明の第３の解決手段によると、
交換機であって、
端末ＩＤと内線番号とデータ変更有無とを管理する端末情報記憶部を有し、端末情報記憶部データ変更有無と予め定められたシステムＩＤとを記憶し、
端末ＩＤと内線番号とシステムＩＤと通信モードを管理する端末データ記憶部を有する無線端末から、定期的に又は予め定められたタイミングで、前記端末データ記憶部に記憶された、システムＩＤと端末ＩＤを、前記基地局を経て、受信すると、
端末情報記憶部データ変更有無が“有”である場合、前記端末情報記憶部を検索し、受信した前記端末ＩＤに対するデータ変更有無が“有”であれば、前記基地局に対して、通信モード変更通知を送信し、
前記基地局が、通信モード変更通知を受信すると、通信モードを“通信”から“書込み”に変更し、前記無線端末に対して通信モード変更通知を送信した際に、
前記無線端末により、通信モード変更通知を受信すると、前記端末データ記憶部の通信モードを“通信”から“書込み”に変更し、前記基地局を経て、端末ＩＤを含む設定情報問合せ通知を受信すると、
前記端末情報記憶部を検索し、受信した設定情報問合せ通知に含まれる端末ＩＤに対する内線番号を抽出し、前記端末ＩＤと前記内線番号と前記システムＩＤとを含む設定情報書込み通知を、前記基地局を経て前記無線端末に対し、送信し、
前記無線端末に、前記端末データ記憶部を、受信した設定情報書込み通知に含まれる前記内線番号と前記システムＩＤにより書き換え、通信モードを“通信”に変更させる
交換機が提供される。
【発明の効果】
【０００９】
本発明によれば、交換機に設定変更を行った際に自動でＰＨＳ端末等の無線端末に設定を反映させることが出来る。
【図面の簡単な説明】
【００１０】
【図１】システム構成図の例である。
【図２】電話交換機の構造図の例である。
【図３】システムデータ記憶部のデータ構造例である。
【図４】ＰＨＳ端末情報記憶部のデータ構造例である。
【図５】無線電波受信機（ＢＳ）のデータ構造例である。
【図６】通信モード記憶部のデータ構造例である。
【図７】ＰＨＳのデータ構造例である。
【図８】通信モード記憶部のデータ構造例である。
【図９】電話交換機の動作フローチャートである。
【図１０】無線電波受信機（ＢＳ）の動作フローチャートである。
【図１１】ＰＨＳ設定変更フローチャートである。
【図１２】電話交換機設定時フローチャートである。
【図１３−１】ＰＨＳ設定変更ＯＫ時のシーケンス（１／２）である。
【図１３−２】ＰＨＳ設定変更ＯＫ時のシーケンス（２／２）である。
【発明を実施するための形態】
【００１１】
以下、実施例を図面を用いて説明する。
図１は、電話交換システムの構成図の例である。
電話交換システムは、パーソナルコンピュータ（ＰＣ）１０１、電話交換機（ＰＢＸ）１０２、基地局（ＢＳ）１０３、ＰＨＳ端末（ＰＨＳ）１０４を備える。なお、一例として、ＰＨＳ端末を用いて説明するが、ＰＨＳ端末に限らず、携帯端末、移動端末、スマートフォン等の適宜の無線端末に適用することができる。交換機も、ＰＨＳに限らず、適宜の電話・データ通信システムの交換機に適用することができる。
【００１２】
ＰＣ１０１は、ＰＢＸ１０２の設定を変更するためのコンソールの役割を果たす。ＰＣ１０１とＰＢＸ１０２とＢＳ１０３はＬＡＮで接続され、パケットによりＰＢＸ１０２やＢＳ１０３へコマンドを送信し、それによりＰＢＸ１０２やＢＳ１０３の設定を変更する。
ＰＢＸ１０２は、ＢＳ１０３やＰＨＳ１０４の制御を行い、電話交換を行う。ＰＣ１０１とＰＢＸ１０２とＢＳ１０３はＬＡＮで接続されており、パケットによる情報のやりとりを行う。ＰＨＳ１０４とＰＢＸ１０２の通信はＢＳ１０３を介して無線で通信を行う。
ＢＳ１０３は、ＰＨＳ１０４がＰＢＸ１０２と通信をする為の無線電波のやり取りを行う。ＰＣ１０１とＰＢＸ１０２とＢＳ１０３はＬＡＮで接続されており、パケットによる情報のやりとりを行う。
ＰＨＳ１０４は、ＢＳ１０３のアンテナと無線で通信を行い、ＢＳ１０３のアンテナを介してＰＢＸ１０２と電話通信を行う。
【００１３】
本実施例は、主に、ＰＢＸ１０２の端末制御部及びＢＳ１０３の端末制御部及びＰＨＳ１０４の端末制御部による制御方法に関するものである。
【００１４】
以下では、ＰＢＸ１０２の例を説明する。
図２は、ＰＢＸ１０２のブロック図の例である。
ＰＢＸ１０２は、ＰＨＳ端末情報記憶部１００２にデータ変更が有るか無いかを管理するデータとＰＨＳ１０４が通信する際に利用するシステムＩＤ情報とを持つシステムデータ記憶部１００１と、ＰＨＳ１０４の端末設定に関する情報を管理するＰＨＳ端末情報記憶部１００２と、電話交換機能を提供する呼制御部１００３と、ＢＳ１０３やＰＨＳ１０４等の端末制御を行う端末制御部１００４を備える。
【００１５】
図３は、システムデータ記憶部１００１のデータ構造の例である。
システムデータ記憶部１００１は、ＰＨＳ端末情報記憶部１００２にデータ変更が有るか無いかという情報と、ＰＨＳ１０４が通信する際に利用するシステムＩＤを管理しているテーブルであり、ＰＨＳ端末情報記憶部データ変更有無１１０１とシステムＩＤ１１０２を保有するテーブルである。
ＰＨＳ端末情報記憶部データ変更有無１１０１は、ＰＨＳ端末情報記憶部１００２に存在するデータ変更有無のカラム中に一つでもデータ変更があるレコードが存在すると、ＰＨＳ端末情報記憶部データ変更有無１１０１のデータは“有”となる。
システムＩＤ１１０２は、ＰＨＳ１０４が通信する際に利用する為のシステムで保有している番号である。システムＩＤ１１０２は、ＰＢＸ１０２が固有で保持している番号であり、同じシステムＩＤ１１０２は他のシステム（電話交換機）では存在しない。
【００１６】
図４は、ＰＨＳ端末情報記憶部１００２のデータ構造の例である。
ＰＨＳ端末情報記憶部１００２は、レコード番号１２０１と端末ＩＤ１２０２と内線番号１２０３とデータ変更有無１２０４とを管理するテーブルである。
レコード番号１２０１は、連番で自動で采番されるデータである。
端末ＩＤ１２０２は、ＰＨＳ１０４で端末が固有で保持している番号であり、同じ端末ＩＤ１２０２を保有するＰＨＳ１０４は存在しない一意の番号である。
内線番号１２０３は、電話交換をする時に必要となる番号である。
データ変更有無１２０４は、ＰＨＳ端末情報記憶部１００２のデータのレコードに変更が発生した場合、そのレコードのデータ変更有無１２０４のデータは“有”となる。
【００１７】
以下では、ＢＳ１０３の例を説明する。
図５は、ＢＳ１０３のブロック図の例である。
ＢＳ１０３は、自身のモードがＰＢＸ１０２との電話交換通信を行う“通信”モードか、
ＰＨＳ１０４の設定情報を書込む信号を送信する“書込み”モードかを記憶する通信モード記憶部１３０１と、端末制御部１３０２を備える。端末制御部１３０２は、ＰＢＸ１０２とＰＨＳ１０４の情報のやりとりを制御するものであり、ＰＢＸ１０２とＢＳ１０３間の情報はＬＡＮケーブルを利用したパケットデータで、ＰＨＳ１０４とＢＳ１０３間の情報は無線電波を通じたやり取りで、情報の受け渡しや制御を行う。
【００１８】
図６は、通信モード記憶部１３０１のデータ構造の例である。
通信モード記憶部１３０１は、レコード番号１４０１と通信モード１４０２を管理するテーブルである。
レコード番号１４０１は、連番で自動で采番されるデータである。
通信モード１４０２は、自身の通信モードが何であるかを管理するデータであり、ＰＢＸ１０２との電話交換通信を行う“通信”モードか、ＰＨＳ１０４の設定情報を書込む信号を送信する“書込み”モードかを記憶する。
ＰＢＸ１０２とＰＨＳ１０４と通信を行う場合は通信モード１４０２のデータは“通信”となり、ＰＨＳ１０４の設定を変更する場合は通信モード１４０２のデータは“書込み”となる。
【００１９】
以下では、ＰＨＳ１０４の例を説明する。
図７は、ＰＨＳ１０４のブロック図の例である。
ＰＨＳ１０４は、自身の端末ＩＤや内線番号等の設定情報を管理する端末データ記憶部１５０１と、ＰＨＳ１０４を制御する端末制御部１５０２を備える。
【００２０】
図８は、端末データ記憶部１５０１のデータ構造の例である。
端末データ記憶部１５０１は、端末ＩＤ１６０１と内線番号１６０２とシステムＩＤ１６０３と通信モード１６０４を管理するテーブルである。
端末ＩＤ１６０１は、ＰＨＳ１０４の固体識別番号が登録されている。端末ＩＤ１６０１は、ＰＨＳ１０４で端末が固有で保持している番号であり、同じ端末ＩＤ１６０１を保有するＰＨＳ１０４は存在しない一意の番号であり、手動でのデータ変更はできない。
内線番号１６０２は、電話交換をする時に必要となる番号である。
システムＩＤ１６０３は、ＰＨＳ１０４が通信する際に利用する為のシステムで保有している番号である。システムＩＤ１６０３は、ＰＢＸ１０２が固有で保持している番号であり、同じシステムＩＤ１６０３は他のシステムでは存在しない。
通信モード１６０４は、自身の通信モードが何であるかを管理するテーブルであり、ＢＳ１０３と通信を行う場合は“通信”となり、ＰＨＳ１０４の設定を変更したい場合は“書込み”となる。
【００２１】
以下では、電話交換を行う装置、ＰＢＸ１０２の動作の例について説明する。
図９は、ＰＢＸ１０２の動作フローチャートの例である。
ステップ２００１で、ＰＢＸ１０２は、ＢＳ１０３からＰＨＳ１０４のシステムＩＤ１６０３と端末ＩＤ１６０１を受信する。
ステップ２００２で、ＰＨＳ１０２は、ＰＨＳ端末情報記憶部データ変更有無１１０１のデータが“有”となっているか確認をする。ＰＢＸ１０２は、“有”となっている場合にはステップ２００８の処理を実施し、“無”の場合はステップ２００３の処理を実施する。
ステップ２００２でＰＨＳ端末情報記憶部データ変更有無１１０１のデータが“無”となっている場合、ステップ２００３で、ＰＢＸ１０２は、ステップ２００１で受信したシステムＩＤ１６０３とシステムＩＤ１１０２を比較し、その値が一致している場合はステップ２００５の処理を実施し、一致していない場合はステップ２００４のブロックの処理を実施する。
【００２２】
ステップ２００３でシステムＩＤ１６０３とシステムＩＤ１１０２が一致していなかった場合、ステップ２００４で、ＰＢＸ１０２は、ＰＨＳ１０４は異なるシステムのＰＨＳと判断しＢＳ１０３へＮＧ通知を送信して、処理を終了する。
ステップ２００３でシステムＩＤ１６０３とシステムＩＤ１１０２が一致してた場合、ステップ２００５で、ＰＢＸ１０２は、ステップ２００１で受信した端末ＩＤ１６０１がＰＢＸ１０２のＰＨＳ端末情報記憶部１００２の端末ＩＤ１２０２に存在するか確認し、存在する場合はステップ２００６の処理を実施し、存在しない場合はステップ２００７の処理を実施する。
端末ＩＤ１６０１がＰＢＸ１０２のＰＨＳ端末情報記憶部１００２に存在した場合、ステップ２００６で、ＰＢＸ１０２は、その端末ＩＤ１６０１のＰＨＳ１０４を自分のシステムの内線端末としてＢＳ１０３へＯＫ通知を送信し、通信処理を開始し、処理を終了する。
端末ＩＤ１６０１がＰＢＸ１０２のＰＨＳ端末情報記憶部１００２に存在しなかった場合、ステップ２００７で、ＰＢＸ１０２は、ＢＳ１０３へＮＧ通知を送信し、処理を終了する。
【００２３】
ステップ２００２でＰＨＳ端末情報記憶部データ変更有無１１０１のデータが“有”となっている場合、ステップ２００８で、ＰＢＸ１０２は、ステップ２００１で受信した端末ＩＤ１６０１がＰＢＸ１０２のＰＨＳ端末情報記憶部１００２に存在するか確認し、存在する場合はステップ２００９の処理を実施し、存在しない場合はステップ２０１０の処理を実施する。
ステップ２００８で、ステップ２００１で受信した端末ＩＤ１６０１がＰＢＸ１０２のＰＨＳ端末情報記憶部１００２に存在した場合、ステップ２００９で、ＰＢＸ１０２は、端末ＩＤ１６０１が存在したレコードのデータ変更有無１２０４を確認する。データ変更有無１２０４が“無”だった場合は、ＰＢＸ１０２は、ステップ２００３からの処理を行う。
ステップ２００８で、ステップ２００１で受信した端末ＩＤ１６０１がＰＢＸ１０２のＰＨＳ端末情報記憶部１００２に存在しなかった場合、ステップ２０１０で、ＰＢＸ１０２は、ＢＳ１０３へＮＧ通知を送信し、処理を終了する。
【００２４】
ステップ２００９で、データ変更有無１２０４が“有”だった場合、ステップ２０１１で、ＰＢＸ１０２は、ＢＳ１０３に通信モード変更通知を送信する。ステップ２０１２で、ＰＢＸ１０２は、ＢＳ１０３から設定情報問合せ通知（端末ＩＤ１６０１を含む）を受信する。ステップ２０１３で、ＰＢＸ１０２は、ステップ２０１２で受信した端末ＩＤ１６０１とＰＨＳ端末情報記憶部１００２の端末ＩＤ１２０２とが一致したレコードの内線番号１２０３と端末ＩＤ１２０２とを求め、設定情報書込み通知（内線番号１２０３と端末ＩＤ１２０２とシステムＩＤ１１０２を含む）をＢＳ１０３へ送信する。ステップ２０１４で、ＰＢＸ１０２は、ステップ２０１３で特定したレコードのデータ変更有無１２０４の値を“有”から“無”に変更する。
【００２５】
ステップ２０１５で、ＰＢＸ１０２は、ＰＨＳ端末情報記憶部１００２のデータ変更有無１２０４のカラムデータを全て確認する。ＰＢＸ１０２は、カラムデータに一つでも“有”があれば何もせず、処理を終了する。ＰＢＸ１０２は、カラムデータが全て“無”であればステップ２０１６の処理を実施する。ステップ２０１５で、カラムデータが全て“無”となっていた場合、ステップ２０１６で、ＰＢＸ１０２は、ＰＢＸ１０２のシステムデータ記憶部１００１のＰＨＳ端末情報記憶部データ変更有無１１０１を“有”から“無”に変更し、処理を終了する。
【００２６】
以下では、ＢＳ１０３の動作の例について説明する。
図１０は、ＢＳ１０３のフローチャートの例である。
処理が開始されると、ステップ２１０１で、ＢＳ１０３は、ＰＨＳ１０４からシステムＩＤ１６０３と端末ＩＤ１６０１を受信する。ステップ２１０２で、ＢＳ１０３は、ＰＢＸ１０２へ、ステップ２１０１で受信したシステムＩＤ１６０３と端末ＩＤ１６０１を送信する。
【００２７】
ステップ２１０３で、ＢＳ１０３は、ＰＢＸ１０２から受信した通知を確認し、ＮＧ通知だった場合はステップ２１０４の処理を実施する。それ以外の通知だった場合は、ＢＳ１０３は、ステップ２１０５の処理を実施する。受信した通知がＮＧ通知だった場合（ステップ２１０３）、ステップ２１０４で、ＢＳ１０３は、ＰＨＳ１０４へＮＧ通知を送信し、処理を終了する。
ステップ２１０５で、ＢＳ１０３は、ＰＢＸ１０２から受信した通知を確認し、ＯＫ通知だった場合はステップ２１０６の処理を実施する。それ以外の通知だった場合はステップ２１０８の処理を実施する。ステップ２１０６で、ＢＳ１０３は、ＰＨＳ１０４へＯＫ通知を送信する。ステップ２１０７で、ＢＳ１０３は、通常の電話交換処理を開始し、処理を終了する。
【００２８】
ステップ２１０８で、ＰＢＸ１０２から受信した通知が“通信モード変更通知”だった場合、ＢＳ１０３は、ステップ２１０９の処理を実施し、それ以外は処理を終了する。ステップ２１０９で、ＢＳ１０３は、ＢＳ１０３でＰＨＳ１０４が通話しているか確認し、通話している場合は通話が終了するまで待ち、通話が終了したらステップ２１１０の処理を実施する。
ステップ２１１０で、ＢＳ１０３は、ＢＳ１０３の通信モード１４０２を“通信”から“書込み”に変更する。ステップ２１１１で、ＢＳ１０３は、ＰＨＳ１０４へ通信モード変更通知を送信する。
【００２９】
ステップ２１１２で、ＢＳ１０３は、ＰＨＳ１０４から設定情報問合せ通知（端末ＩＤ１６０１を含む）を受信する。ステップ２１１３で、ＢＳ１０３は、ＰＢＸ１０２へ設定情報問合せ通知（ステップ２１１２で受信した端末ＩＤ１６０１を含む）を送信する。
ステップ２１１４で、ＢＳ１０３は、ＰＢＸ１０２から設定情報書込み通知（システムＩＤ１１０２と端末ＩＤ１２０２と内線番号１２０３を含む）を受信する。ステップ２１１５で、ＢＳ１０３は、ＰＨＳ１０４へ設定情報書込み通知（ステップ２１１４で受信したシステムＩＤ１１０２と端末ＩＤ１２０２と内線番号１２０３とを含む）を送信する。なお、例えば、ＢＳ１０３が設定変更の対象となるＰＨＳ１０４の端末ＩＤを管理していれば、設定情報書込み通知には、端末ＩＤ１２０２を含めないようにしてもよい。
ステップ２１１６で、ＢＳ１０３は、通信モード１４０２を“書込み”から“通信”に変更し、処理を終了する。
【００３０】
以下では、ＰＨＳ１０４の設定変更の例について説明する。
図１１は、ＰＨＳ１０４のフローチャートの例である。
処理が開始されると、ステップ２２０１で、ＰＨＳ１０４は、ＢＳ１０３へシステムＩＤ１６０３と端末ＩＤ１６０１を定期的に送信する。なお、ＰＨＳ１０４は、ステップ２２０１の送信処理を、予め定められた周期又は適宜のタイミング又は期間又は時刻で実施するようにしてもよい。
ステップ２２０２で、ＰＨＳ１０４は、ＢＳ１０３から受信した通知の中身を確認し、ＮＧ通知の場合はステップ２２０３の処理を実施する。ＮＧ通知ではない場合は、ＰＨＳ１０４は、ステップ２２０４の処理を実施する。
ステップ２２０２、で受信した通知がＮＧ通知の場合、ステップ２２０３で、ＰＨＳ１０４は、ＰＨＳ１０４の画面にＮＧ通知を表示し、処理を終了する。
【００３１】
ステップ２２０４で、ＰＨＳ１０４は、ＢＳ１０３から受信した通知の中身を確認し、ＯＫ通知の場合はステップ２２０６の処理を実施する。ＯＫ通知ではない場合は、ＰＨＳ１０４は、ステップ２２０７の処理を実施する。
ステップ２２０４で、受信した通知がＯＫ通知の場合、ステップ２２０６で、ＰＨＳ１０４は、通常の電話交換処理を開始し、処理を終了する。
【００３２】
ステップ２２０７で、ＰＨＳ１０４は、通信モード変更通知を受信すると、ステップ２２０８の処理を実施し、それ以外は、処理を終了する。ステップ２２０８で、ＰＨＳ１０４は、ＰＨＳ１０４の通信モード１６０４を“通信”から“書込み”に変更する。ステップ２２０９で、ＰＨＳ１０４は、ＢＳ１０３へ設定情報問合せ通知（端末ＩＤ１６０１を含む）を送信する。ステップ２２１０で、ＰＨＳ１０４は、ＢＳ１０３から設定情報書込み通知（システムＩＤ１１０２と端末ＩＤ１２０２と内線番号１２０３を含む）を受信する。
ステップ２２１１で、ＰＨＳ１０４は、ＰＨＳ１０４の内線番号１６０２をステップ２２１０で受信した内線番号１２０３に書き換える。ステップ２２１２で、ＰＨＳ１０４は、ＰＨＳ１０４のシステムＩＤ１６０３をステップ２２１０で受信したシステムＩＤ１１０２に書き換える。ステップ２２１３で、ＰＨＳ１０４は、ＰＨＳ１０４の通信モード１６０４を“書込み”から“通信”に変更し、処理を終了する。
【００３３】
以下では、電話交換を行う装置、ＰＢＸ１０２の設定時の例について説明する。
図１２は、ＰＢＸ１０２の設定時フローチャートの例である。
処理が開始されると、ステップ２３０１で、ＰＢＸ１０２は、ＰＣ１０１からの入力情報を受け付ける。ステップ２３０２で、ＰＢＸ１０２は、ＰＢＸ１０２への端末情報（端末ＩＤ、内線番号を含む）の入力があるか確認する。端末情報の入力は、例えば、ＰＨＳユーザ、管理者、保守者、事業者等が、ＰＨＳ端末のデータ変更が必要なタイミング又はデータ変更の要求時、システム導入時等に行うことができる。入力があったら、ＰＢＸ１０２は、ステップ２３０３へ処理を進める。入力が無い場合は、ＰＢＸ１０２は、ステップ２３０１に戻り処理を実施する。
【００３４】
ステップ２３０３で、ＰＢＸ１０２は、ＰＨＳ１０４の端末情報の登録が新規登録か設定変更かを確認する。ＰＢＸ１０２は、新規登録の場合はステップ２３０４の処理を実施し、新規登録の処理ではない場合はステップ２３０５の処理を実施する。
ステップ２３０３で新規登録だった場合、ステップ２３０４で、ＰＢＸ１０２は、ＰＢＸ１０２のＰＨＳ端末情報記憶部１００２の端末ＩＤ１２０２と内線番号１２０３に、ステップ２３０２で端末情報として入力されたデータ（端末ＩＤ、内線番号）を新規のレコードとして登録する。
ステップ２３０３で設定変更だった場合、ステップ２３０５で、ＰＢＸ１０２は、ＰＢＸ１０２のＰＨＳ端末情報記憶部１００２の端末情報として入力された端末ＩＤに対応する内線番号１２０３の設定を、入力されたデータ（内線番号）に変更する。
【００３５】
ステップ２３０６で、ＰＢＸ１０２は、ステップ２３０４またはステップ２３０５で設定したレコードのＰＨＳ端末情報記憶部１００２のデータ変更有無１２０４を“有”に変更する。ステップ２３０７で、ＰＢＸ１０２は、ＰＢＸ１０２のシステムデータ記憶部１００１のＰＨＳ端末情報記憶部データ変更有無１１０１を“無”から“有”に変更し、処理を終了する。
【００３６】
以下では、ＰＨＳ設定変更時の動作の例について説明する。
図１３−１及び図１３−２は、ＰＨＳ設定変更時の動作シーケンスの例である。なお、図１３−１及び図１３−２は、紙面の都合上２つの図に分けているが、一連の処理である。
【００３７】
ステップ３３０１で、ＰＢＸ１０２は、システムＩＤ１１０２に“ＳＹＳＩＤ００１”が予め登録されているものとする。ステップ３３０２で、ＢＳ１０３は、通信モード１４０１に“通信”が予め登録されているものとする。ステップ３３０３で、ＰＨＳ１０４は、システムＩＤ１６０３に“ＳＹＳＩＤ００２”、通信モード１６０４に“通信”、端末ＩＤ１６０１に“ＴＩＤ００１”、内線番号１６０２に
“１０２０”が予め登録されているものとする。
ステップ３３０４で、ＰＢＸ１０２にＰＣ１０１が設定データ（端末情報）を投入する。設定データの投入は、例えば、ＰＨＳユーザ、管理者、保守者、事業者等が、ＰＨＳ端末のデータ変更が必要なタイミング又はデータ変更の要求時、システム導入時等に行うことができる。ここでは、端末ＩＤ１２０２に“ＴＩＤ００１”、内線番号１２０３に“１０００”を設定した場合を例に説明する。また、設定データを投入することで、“ＴＩＤ００１”のレコードのデータ変更有無１２０４が“有”となる。ステップ３３０５で、ステップ３３０４のデータ変更によりＰＨＳ端末情報記憶部データ変更有無１１０１が“有”となる。
【００３８】
ステップ３３０６（ステップ２２０１）で、ＰＨＳ１０４が、例えば定期的に自身のシステムＩＤ１６０３＝“ＳＹＳＩＤ００２”と、端末ＩＤ１６０１＝“ＴＩＤ００１”をＢＳ１０３へ送信する。
ステップ３３０７（ステップ２１０２）で、ＢＳ１０３が、ステップ３３０６（ステップ２２０１）のデータ（システムＩＤ１６０３＝“ＳＹＳＩＤ００２”、端末ＩＤ１６０１＝“ＴＩＤ００１”）を受信し、そのデータをＰＢＸ１０２へ送信する。
【００３９】
ステップ３３０８（ステップ２００２）で、ＰＢＸ１０２は、ステップ３３０７（ステップ２１０２）のデータを受信し、ＰＨＳ端末情報記憶部データ変更有無１１０１が“有”となっていることを確認する。ステップ３３０９（ステップ２００８）で、ＰＢＸ１０２は、ステップ３３０８（ステップ２００２）で受信した端末ＩＤ１６０１＝“ＴＩＤ００１”がＰＨＳ端末情報記憶部１００２の端末ＩＤ１２０２で一致するレコードを検索する。ステップ３３１０（ステップ２００９）で、ＰＢＸ１０２は、ステップ３３０９（ステップ２００８）で一致したレコード（レコード番号１２０１＝“１”）のデータ変更有無１２０４の値が“有”であることを確認する。ステップ３３１１（ステップ２０１１）で、ＰＢＸ１０２がＢＳ１０３に対して通信モード変更通知を送信する。
【００４０】
ステップ３３１２（ステップ２１０８）で、ＰＢＸ１０２から、ＢＳ１０３は、通信モード変更通知を受信する。ＢＳ１０３は、ステップ３３１３（ステップ２１１０）で、通信モード１４０２を“通信”から“書込み”に変更する。ステップ３３１４（ステップ２１１１）で、ＢＳ１０３がＰＨＳ１０４に対して通信モード変更通知を送信する。
ステップ３３１５（ステップ２２０７）で、ＢＳ１０３から、ＰＨＳ１０４が通信モード変更通知を受信する。ステップ３３１６（ステップ２２０８）で、ＰＨＳ１０４は、ＰＨＳ１０４の通信モード１６０４を“通信”から“書込み”に変更する。ステップ３３１７（ステップ２２０９）で、ＰＨＳ１０４がＢＳ１０３に対し、設定情報問合せ通知（端末ＩＤ１６０１＝“ＴＩＤ００１”を含む）を送信する。
ＢＳ１０３は、ＰＨＳ１０４から設定情報問合せ通知を受信すると、ステップ３３１８（ステップ２１１３）で、ＢＳ１０３がＰＢＸ１０２に対し、設定情報問合せ通知（端末ＩＤ１６０１＝“ＴＩＤ００１”を含む）を送信する。
【００４１】
ステップ３３１９（ステップ２０１３）で、ＰＢＸ１０２は、ステップ３３１８で受信した端末ＩＤ１６０１＝“ＴＩＤ００１”と一致するレコードをＰＨＳ端末情報記憶部１００２から検索し、一致したレコード（レコード番号１２０１＝“１”）の内線番号１２０３を抽出する。また、ＰＢＸ１０２は、システムデータ記憶部１００１からシステムＩＤ１１０２を抽出する。ステップ３３２０（ステップ２０１３）で、ＰＢＸ１０２がＢＳ１０３に対し、設定情報書込み通知（端末ＩＤ１２０２＝“ＴＩＤ００１”と内線番号１２０３＝“１０００”とシステムＩＤ１１０２＝“ＳＹＳＩＤ００１”を含む）を送信する。
ＢＳ１０３は、ＰＢＸ１０２から設定情報書込み通知を受信すると、ステップ３３２１（ステップ２１１５）で、ＢＳ１０３がＰＨＳ１０４に対し、設定情報書込み通知（端末ＩＤ１２０２＝“ＴＩＤ００１”と内線番号１２０３＝“１０００”とシステムＩＤ１１０２＝“ＳＹＳＩＤ００１”を含む）を送信する。なお、例えば、ＢＳ１０３が設定変更の対象となるＰＨＳ１０４の端末ＩＤを管理していれば、設定情報書込み通知には、端末ＩＤ１２０２を含めないようにしてもよい。
【００４２】
ステップ３３２２（ステップ２０１４）で、ＰＢＸ１０２は、端末ＩＤに対するデータ変更有無１２０４を“有”から“無”に変更する。
ステップ３３２３（ステップ２１１６）で、ＢＳ１０３は、ＢＳ１０３の通信モード１４０２を“書込み”から“通信”に変更する。
ステップ３３２４（ステップ２２１１）で、ＰＨＳ１０４は、ステップ３３２１でＢＳ１０３から受信した内線番号１２０３の値“１０００”に、内線番号１６０２の値を書き換える。ステップ３３２５（ステップ２２１２）で、ＰＨＳ１０４は、ステップ３３２１でＢＳ１０３から受信したシステムＩＤ１１０２の値“ＳＹＳＩＤ００１”に、システムＩＤ１６０３の値を書き換える。ステップ３３２５（ステップ２２１２）で、ＰＨＳ１０４は、ＰＨＳ１０４の通信モード１６０４を“書込み”から“通信”に変更する。
【００４３】
このように、従来はＰＨＳ端末の、特にシステムＩＤ等の設定変更は、難しかった又は時間と労力がかかったが、本実施例によると、効率的にＰＨＳ端末のシステムＩＤ及び内線番号等の設定を変更することができる。
本実施例によると、交換機側で設定変更を行った際に、使用していないＢＳアンテナのモードを自動で変更し、ＰＨＳ端末に設定が自動で反映される仕組みを提供することで、ＰＨＳの設定変更時間を大幅に短縮し、ＰＨＳ設定変更作業工数の削減及びＰＨＳ稼働率の向上が図れる。また、本実施例によると、多数のＰＨＳ端末設定変更があったとしても短時間、且つ、柔軟に対応することができる。
さらに、本実施例によると、ＰＨＳシステムで電話交換機以外の機器設定を変更や修正することなくデータをＰＨＳ端末に反映させることが出来る。
【００４４】
なお、本発明は上記した実施例に限定されるものではなく、様々な変形例が含まれている。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【図１】
2015100014.tif 000003
【図２】
2015100014.tif 000004
【図３】
2015100014.tif 000005
【図４】
2015100014.tif 000006
【図５】
2015100014.tif 000007
【図６】
2015100014.tif 000008
【図７】
2015100014.tif 000009
【図８】
2015100014.tif 000010
【図９】
2015100014.tif 000011
【図１０】
2015100014.tif 000012
【図１１】
2015100014.tif 000013
【図１２】
2015100014.tif 000014
【図１３−１】
2015100014.tif 000015
【図１３−２】
2015100014.tif 000016